(57)【要約】【課題】電気機器の着脱が容易であり、しかも簡易な構成で電気機器の脱落を確実に防止することができる電気機器のスタンド装置を提供する。【解決手段】使用者がスタンド本体３の載置台３１に電気機器２を載置し、載置台３１は電気機器２によって下方へ押圧される。載置台３１の下側の弾性部材３３は、下降した載置台３１に押圧されることによって収縮し、固定部３２は、載置台３１が下降した位置で載置台３１に係合して載置台３１を固定する。また、接離機構５は載置台３１の下降に伴って挟持用部材４を図中矢符Ａ２方向へ回動させる。このため、挟持片４１が電気機器２の上側に配され、挟持片４１と載置台３１との間で電気機器２が挟持される。一方、固定部３２の係合が解除されると、弾性部材３３の弾性復元力による載置台３１の上昇に伴い接離機構５が挟持用部材４を回動させて挟持片４１が電気機器２の上側が離隔するため、電気機器２の挟持が解除される。【選択図】図３
2009161008.tif 000002
【特許請求の範囲】
【請求項１】
電気機器を着脱可能に支持するスタンド装置において、
電気機器が載置されるスタンド本体と、
該スタンド本体に載置される電気機器の上側に配され、前記電気機器を前記スタンド本体との間で挟持する挟持片と、
該挟持片を電気機器の挟持位置に対して接離させるための接離機構と
を備えることを特徴とするスタンド装置。
【請求項２】
前記挟持片は、立面視が倒立Ｌ字状に形成されている挟持用部材の一端部に設けられており、
前記スタンド本体は、
載置される電気機器によって下方へ押圧された場合に下降するようにしてある載置台と、
該載置台に対して係脱可能に設けてあり、前記載置台が下降した位置で前記載置台に係合して前記載置台を固定する固定部と、
前記載置台の下側に配されており、下降した前記載置台によって圧縮され、前記固定部が係合解除されることによって復元して前記載置台が上昇した位置へ前記載置台を上昇させる弾性部材と
を有し、
前記接離機構は、前記挟持用部材の他端部を回動可能に支持しており、前記載置台の下降に伴って前記挟持片が前記挟持位置に接近し、前記載置台の上昇に伴って前記挟持片が前記挟持位置から離隔するよう前記挟持用部材を回動させるようにしてあることを特徴とする請求項１に記載のスタンド装置。
【請求項３】
前記載置台に載置される電気機器が有する機器側コネクタに接続される装置側コネクタと、
該装置側コネクタが実装されており、前記載置台に対して基板面方向に移動可能に前記載置台に連結されているプリント基板と、
前記機器側コネクタと前記装置側コネクタとが接続される前に前記載置台が上下移動することを防止する上下動防止部と
を更に備えることを特徴とする請求項２に記載のスタンド装置。
【請求項４】
前記上下動防止部は、前記載置台に対して係脱可能に設けてあり、前記載置台が前記上昇した位置で前記載置台に係止して前記載置台を固定し、前記載置台に載置される電気機器に押圧されることによって係止解除されるようにしてあり、
前記装置側コネクタは、前記上下動防止部の係止が解除される前に、前記電気機器が有する機器側コネクタに接続されるよう配されていることを特徴とする請求項３に記載のスタンド装置。
【発明の詳細な説明】
【技術分野】
【０００１】
本発明は、電気機器を着脱可能に支持するスタンド装置に関する。
【背景技術】
【０００２】
従来、携帯可能なナビゲーション装置を車内のダッシュボード上に取り付ける支持スタンド装置が提案されている（特許文献１参照）。また、載置された電気機器のスタンドとして機能するクレイドルが提案されている（特許文献２参照）。このような支持スタンド装置、クレイドル等のスタンド装置には、電気機器と接続するコネクタが備えられ、このコネクタを介して、電気機器に対する給電及び／又は各種信号の送受信等が行なわれる。
特許文献１に開示されている支持スタンド装置には、支持スタンド装置の取付け面から突出している取付けネジを、電気機器の底面に形成されている取付け用ネジ穴に係合させることによって、電気機器が装着される。
一方、特許文献２に開示されているクレイドルには、クレイドルのスタンド本体に電気機器を載置することによって、電気機器が装着される。
【０００３】
ところで、スタンド装置のコネクタに対して電気機器のコネクタを接続する場合、コネクタ同士の位置ズレが生じて、スタンド装置のコネクタ及びコネクタが実装されているプリント基板等に無用な外力が加えられることがある。このような外力によるコネクタ及びプリント基板等の変形、破損等を防止するために、特許文献２には、コネクタのフロート機構が開示されている。このフロート機構においては、コネクタの外周に形成されているつば部が緩衝部材で被覆され、この緩衝部材がクレードル本体に固着されており、プリント基板はクレードル本体に対して浮動状態にしてある。コネクタに加えられた外力は、緩衝部材によって吸収される。
【０００４】
また、コネクタ自身が外力を吸収するよう構成されているフローティングタイプのコネクタが開示されている（特許文献３〜５参照）。
更に、コネクタとプリント基板との間にフローティングタイプのコネクタを介在する構成が開示されている（特許文献６参照）。
【特許文献１】特開２００４−２１７１４３号公報
【特許文献２】特開２００５−８５５９３号公報
【特許文献３】特許第３０６２１６９号公報
【特許文献４】特許第３２８７５１４号公報
【特許文献５】実公平７−３３４０８号公報
【特許文献６】特開２００３−３３１９８１号公報
【発明の開示】
【発明が解決しようとする課題】
【０００５】
特許文献１に開示されている支持スタンド装置は、取付けネジと取付け用ネジ穴との係合によって、電気機器を支持スタンド装置の取付け面に固着しているため、電気機器が支持スタンド装置から脱落することが防止されている。ただし、電気機器の着脱が煩雑である。
一方、特許文献２に開示されているクレイドルは、クレイドル本体のスタンド本体に電気機器を載置するだけでよいため、電気機器の着脱は簡便である。しかしながら、このようなクレイドルを車内で使用する場合、車両の動揺がクレイドルに伝達されて、クレイドルから電気機器が脱落する可能性がある。
【０００６】
本発明は斯かる事情に鑑みてなされたものであり、その主たる目的は、電気機器に対して挟持片を接離させ、電気機器の上側の挟持片と下側のスタンド本体との間で電気機器を挟持する構成とすることにより、電気機器の脱落を確実に防止することができ、しかも電気機器を容易に着脱することができるスタンド装置を提供することにある。
【０００７】
本発明の他の目的は、載置台に電気機器を載置することによって電気機器を自動的に挟持し、また、載置台に係合して載置台を固定する固定部の係合を解除することによって電気機器の挟持を自動的に解除する構成とすることにより、電気機器を更に容易に着脱することができるスタンド装置を提供することにある。
【０００８】
本発明の他の目的は、電気機器が載置されていない場合に、電気機器を載置すべき載置台の上下動を防止し、また、電気機器を載置する場合に、コネクタ同士が接続する前に装置側コネクタが無用に下降しないようにする構成とすることにより、コネクタ同士を確実に接続することができるスタンド装置を提供することにある。
【０００９】
本発明の更に他の目的は、載置台の上下動を防止する上下動防止部と載置台との係止が、電気機器が載置されることによって自動的に解除され、しかも、上下動防止部の係止が解除される前にコネクタ同士が接続される構成とすることにより、電気機器を容易に装着することができ、しかもコネクタ同士を確実に接続することができるスタンド装置を提供することにある。
【課題を解決するための手段】
【００１０】
第１発明に係るスタンド装置は、電気機器を着脱可能に支持するスタンド装置において、電気機器が載置されるスタンド本体と、該スタンド本体に載置される電気機器の上側に配され、前記電気機器を前記スタンド本体との間で挟持する挟持片と、該挟持片を電気機器の挟持位置に対して接離させるための接離機構とを備えることを特徴とする。
【００１１】
第２発明に係るスタンド装置は、前記挟持片は、立面視が倒立Ｌ字状に形成されている挟持用部材の一端部に設けられており、前記スタンド本体は、載置される電気機器によって下方へ押圧された場合に下降するようにしてある載置台と、該載置台に対して係脱可能に設けてあり、前記載置台が下降した位置で前記載置台に係合して前記載置台を固定する固定部と、前記載置台の下側に配されており、下降した前記載置台によって圧縮され、前記固定部が係合解除されることによって復元して前記載置台が上昇した位置へ前記載置台を上昇させる弾性部材とを有し、前記接離機構は、前記挟持用部材の他端部を回動可能に支持しており、前記載置台の下降に伴って前記挟持片が前記挟持位置に接近し、前記載置台の上昇に伴って前記挟持片が前記挟持位置から離隔するよう前記挟持用部材を回動させるようにしてあることを特徴とする。
【００１２】
第３発明に係るスタンド装置は、前記載置台に載置される電気機器が有する機器側コネクタに接続される装置側コネクタと、該装置側コネクタが実装されており、前記載置台に対して基板面方向に移動可能に前記載置台に連結されているプリント基板と、前記機器側コネクタと前記装置側コネクタとが接続される前に前記載置台が上下移動することを防止する上下動防止部とを更に備えることを特徴とする。
【００１３】
第４発明に係るスタンド装置は、前記上下動防止部は、前記載置台に対して係脱可能に設けてあり、前記載置台が前記上昇した位置で前記載置台に係止して前記載置台を固定し、前記載置台に載置される電気機器に押圧されることによって係止解除されるようにしてあり、前記装置側コネクタは、前記上下動防止部の係止が解除される前に、前記電気機器が有する機器側コネクタに接続されるよう配されていることを特徴とする。
【００１４】
第１発明にあっては、スタンド本体、挟持片及び接離機構を備える。
使用者は、電気機器をスタンド本体に載置する。
スタンド本体に電気機器が載置される場合に、接離機構が挟持片を電気機器の挟持位置に接近させることによって、スタンド本体に載置された電気機器の上側に配されている挟持片と、電気機器が載置されている（即ち電気機器の下側に配されている）スタンド本体との間で、電気機器が容易に挟持される。つまり、本発明のスタンド装置は、挟持片とスタンド本体との間で電気機器が挟持された状態で電気機器を支持する。
【００１５】
また、接離機構が挟持片を電気機器の挟持位置から離隔させることによって、スタンド本体に載置された電気機器の上側から挟持片が離隔するため、電気機器の挟持が容易に解除される。使用者は、電気機器の挟持が解除された状態のスタンド装置から、容易に電気機器を取り外す。
なお、接離機構による挟持片の接離は、使用者が手動で行なう構成であってもよく、例えば使用者が電気機器をスタンド本体に載置することによって自動的に行なわれる構成であってもよい。
【００１６】
第２発明にあっては、立面視が倒立Ｌ字状に形成されている挟持用部材を備える。挟持用部材は、一端部に挟持片が設けられており、他端部が接離機構によって回動可能に支持されている。
また、スタンド本体は載置台、固定部、及び弾性部材を有する。
【００１７】
使用者は電気機器を載置台に載置する。このとき、載置台は電気機器によって下方へ押圧される。
載置台の下側には弾性部材が配されているため、載置台は、例えばスタンド本体の底面から離隔した状態にあり、載置される電気機器によって下方へ押圧された場合に下降する。弾性部材は、下降した載置台によって圧縮され、固定部は、載置台が下降した位置で載置台に係合して載置台を固定する。
また、接離機構は、載置台の下降に伴って挟持片が電気機器の挟持位置に接近するよう挟持用部材を回動させる。
以上の結果、スタンド本体に載置された電気機器の上側へ挟持片が接近するため、挟持片とスタンド本体との間で電気機器が自動的に挟持される。
【００１８】
固定部は載置台に対して係脱可能に設けてあり、例えば使用者が手動で固定部と載置台との係合を解除する。
固定部と載置台との係合が解除されると、弾性部材の復元力によって載置台が上昇する。接離機構は、載置台の上昇に伴って挟持片が電気機器の挟持位置から離隔するよう挟持用部材を回動させる。この結果、スタンド本体に載置された電気機器の上側から挟持片が離隔するため、電気機器の挟持が自動的に解除される。しかも、載置台に押し上げられて電気機器が上昇するため、使用者がスタンド装置から電気機器を取り外し易くなる。
【００１９】
第３発明にあっては、装置側コネクタ、プリント基板、及び上下動防止部を更に備える。
使用者は、電気機器が有する機器側コネクタが装置側コネクタに接続されるようにして電気機器を載置台に載置する。
装置側コネクタはプリント基板に実装されており、プリント基板は載置台に連結されている。このため、載置台の上下移動に伴い、プリント基板及び装置側コネクタも上下移動する。
しかしながら、上下動防止部が、コネクタ同士が接続される前に載置台が上下移動することを防止するため、コネクタ同士が接続される前に載置台が無用に下降してコネクタ同士の接続不良が生じることが防止される。また、上下動防止部は、電気機器が載置されていない場合に、例えば車両の振動がスタンド装置に伝達されることによる載置台の上下振動を防止する。
【００２０】
ところで、プリント基板は載置台に対して基板面方向（即ちプリント基板の面に沿う方向）に移動可能であるため、接続の際にコネクタ同士の位置ズレが生じていても、機器側コネクタに加えられる外力によって、機器側コネクタが実装されているプリント基板が移動する。従って、コネクタ同士の位置ズレが自動的に補正される。
以上の結果、装置側コネクタ及び／又はプリント基板等に無用な外力が加えられることなく、コネクタ同士が確実に接続される。
【００２１】
第４発明にあっては、載置台に対して係脱可能に設けてある上下動防止部が、載置台が上昇した位置で載置台に係止して載置台を固定する。つまり、載置台に電気機器が載置されていない場合、上下動防止部は載置台が上下移動することを防止する。
【００２２】
一方、上下動防止部は、載置台に載置される電気機器に押圧されることによって、載置台に対する係止が解除される。ただし、装置側コネクタは、上下動防止部の係止が解除される前に、載置台に載置される電気機器が有する機器側コネクタに接続されるよう配されている。つまり、電気機器が載置台に完全に載置される前にコネクタ同士が接続され、コネクタ同士が接続された後で電気機器が上下動防止部を押圧して上下動防止部と載置台との係止を解除し、更に電気機器が載置台を押圧することによって載置台が下降し、固定部に係合する。この状態で、例えば使用者が手動で固定部と載置台との係合を解除すると、載置台が上昇し、上下動防止部に係止する。
以上の結果、載置台の無用な上下動の防止と、載置台が下降／上昇することによる電気機器の自動的な挟持／挟持解除とが、簡易な構成で両立される。
【発明の効果】
【００２３】
第１発明のスタンド装置による場合、挟持片とスタンド本体との間で電気機器を挟持するため、スタンド装置に例えば車両の動揺が伝達されたとしても、スタンド装置から電気機器が脱落することを確実に防止することができる。しかも、例えばネジとネジ穴とを用いて電気機器をスタンド本体に固着する必要がないため、使用者がスタンド装置に対して電気機器を容易に着脱することができる。
【００２４】
第２発明のスタンド装置による場合、使用者が電気機器で載置台を押圧することによって載置台が下降し、接離機構が挟持片を電気機器へ接近させる方向へ作動するため、電気機器を自動的に挟持することができる。このとき、載置台の無用な上昇は固定部によって防止することができる。
また、例えば使用者が固定部の係合を手動で解除することによって、弾性部材が載置台を、載置台が上昇した位置へ上昇させ、接離機構が挟持片を電気機器から離隔させる方向へ作動するため、電気機器の挟持を自動的に解除することができる。このとき電気機器を、スタンド装置に支持されていた位置から上昇させることができる。
以上の結果、使用者がスタンド装置に対して電気機器を更に容易に着脱することができる。
【００２５】
第３発明のスタンド装置による場合、コネクタ同士の接続時に載置台の無用な下降が防止されており、しかも、コネクタ同士の位置ズレをプリント基板の移動によって補正することができるため、コネクタ同士を確実に接続することができる。また、電気機器が載置されていない場合に、載置台の上下動が防止されているため、載置台のガタつきによる騒音の発生を防止することができる。
更に、コネクタ同士の位置ズレに起因して装置側コネクタ及びプリント基板等に無用な外力が加えられることを防止することができ、このような外力による装置側コネクタ及びプリント基板等の変形、破損等を防止することができる。しかも、この目的のためにフローティングタイプのコネクタを使用する必要も、外周につば部が形成されているような特殊なコネクタを使用する必要もない。
【００２６】
第４発明のスタンド装置による場合、載置台の無用な上下動の防止と、載置台が下降／上昇することによる電気機器の自動的な挟持／挟持解除とを、簡易な構成で両立することができる。また、電気機器が自動的に挟持／挟持解除されるため、電気機器を容易に着脱することができ、載置台が無用に下降しないため、コネクタ同士を確実に接続することができ、載置台が無用に上下動しないため、載置台の振動音を抑制することができる。
【発明を実施するための最良の形態】
【００２７】
以下、本発明を、その実施の形態を示す図面に基づいて詳述する。
【００２８】
実施の形態  １．
図１は、本発明の実施の形態１に係るスタンド装置の外観を略示する斜視図である。
また、図２は、本発明の実施の形態１に係るスタンド装置に電気機器が載置されていない状態を説明する側面図であり、図３は、本発明の実施の形態１に係るスタンド装置に電気機器が載置された状態を説明する側面図である。
更に、図４は、本発明の実施の形態１に係るスタンド装置に電気機器が載置されつつある状態を説明する装置側コネクタ近傍の正面図であり、図５は、本発明の実施の形態１に係るスタンド装置に電気機器が載置された状態を説明する装置側コネクタ近傍の正面図である。
【００２９】
図中１はスタンド装置であり、図１には、スタンド装置１の背面側が示されている。
図１に示すように、スタンド装置１は脚部１ａを有し、脚部１ａの底面に例えば両面テープが貼着されることによって、車両内部のダッシュボードに接着固定されている。また、スタンド装置１は図示しないコネクタを備えており、このコネクタは、車両に備えられている図示しないコネクタに接続されている。これらのコネクタは、スタンド装置１と、図示しない車載電源及び車載機器等とを接続するためのものである。
このような状態でスタンド装置１は、電気機器２を着脱可能に支持する。
【００３０】
電気機器２は、例えば携帯可能なナビゲーション装置、テレビジョン装置等である。電気機器２は薄型の矩形箱状の外観を有し、天面左部には、電気機器２の電源をオン／オフするための電源ボタン２ａが設けられており、正面には、走行方向を案内する地図、テレビ番組等の画像が表示される表示面と、使用者が電気機器２を操作するための操作ボタンとが並設されている（各不図示）。
【００３１】
スタンド装置１は、電気機器２が載置されるスタンド本体３と、側面視が倒立Ｌ字状に形成されている挟持用部材４と、接離機構５とを備えている。
スタンド本体３は、上部に開口３ａを有する箱状になしてあり、この開口３ａを通して電気機器２が、スタンド本体３に対して挿抜される。
挟持用部材４は、一端部に挟持片４１が設けられており、また、挟持片４１を支持する挟持片支持部４２が設けられている。更に詳細には、本実施の形態の挟持用部材４は、互いに略直交配置されている各矩形平板状の挟持片４１と挟持片支持部４２とが一体に形成されてなり、挟持片４１の内面には、係合突起４１１が突設されている（後述する図２及び図３参照）。挟持片支持部４２の端部は、挟持片４１の係合突起４１１がスタンド本体３側に向くようにして、接離機構５に回動可能に支持されている。
【００３２】
接離機構５はスタンド本体３の背部に配されており、挟持片４１を電気機器２の挟持位置に対して接離させるべく構成されている。この接離機構５が挟持片４１を電気機器２の挟持位置に接近させることによって、挟持片とスタンド本体３との間で、スタンド本体３に載置されている電気機器２が挟持される。また、接離機構５が挟持片４１を電気機器２の挟持位置から離隔させることによって、スタンド本体３に載置された電気機器２の上側から挟持片４１が離隔するため、電気機器２の挟持が解除される。この結果、電気機器２はスタンド本体３から取り出し可能になる。
【００３３】
図２〜図５に示すように、スタンド本体３は、背面部３０、載置台３１、固定部３２、弾性部材３３、底面部３４、左右の側壁部３５，３５、及び図示しない正面部を有する。ただし、図２及び図３には側壁部３５，３５の図示は省略してあり、図４並びに図５には固定部３２及び右側の側壁部３５の図示は省略してある。
【００３４】
載置台３１は平板状であり、電気機器２が載置される。載置台３１は、周縁部がスタンド本体３の正面部、背面部３０及び側壁部３５，３５夫々の内面に摺動しながら上下移動可能に構成されており、載置台３１に載置される電気機器２によって下方へ押圧された場合に下降する。
電気機器２が載置されていない（図２及び図４参照）載置台３１は、電気機器２が載置されて（図３及び図５参照）載置台３１が下降した位置（以下、下降位置という）よりも高い位置に配される。この位置は、載置台３１が下降位置から上昇した位置であり、以下では上昇位置という。
【００３５】
載置台３１には、後述する弾性部材支持棒３３１が挿通される挿通孔３１ａが形成されている。弾性部材支持棒３３１は載置台３１に直交する方向に底面部３４から突出しており、載置台３１の上下移動に伴い、挿通孔３１ａの内面が弾性部材支持棒３３１の周面に摺動する。
また、図４及び図５に示すように、載置台３１には、後述する吊下げビス１４２，１４２，…が遊びを持った状態で貫通する貫通孔３１ｂ，３１ｂ，…と、後述するプリント基板１２が遊嵌される基板配置孔３１ｃとが形成されている。
【００３６】
図２及び図３に示すように、固定部３２は、載置台３１に対して係脱可能に設けてあり、下降位置へ下降した載置台３１に係合して載置台３１を固定する。また、図２〜図５に示すように、弾性部材３３は、載置台３１の下側に配されており、下降した載置台３１によって圧縮され、固定部３２の係合部が係合解除されることによって復元して上昇位置へ載置台３１を上昇させる。
【００３７】
まず、固定部３２について説明する（図２及び図３参照）。
固定部３２は、載置台３１に対して係脱する係合部３２ａと、図示しないぜんまいバネが内蔵されている付勢部３２ｂと、使用者によって押圧操作される操作レバー３２ｃとを備える。
付勢部３２ｂは左右方向（図２及び図３においては紙面に直交する方向）に配された回転軸を有しており、係合部３２ａ及び操作レバー３２ｃを図中矢符Ｂ方向及び矢符Ｂ方向の逆方向へ回動可能に支持している。ただし、付勢部３２ｂは、図示しない支持部によって底面部３４に固定支持されている。
載置台３１が上昇位置に配されている場合、係合部３２ａは載置台３１に係合していない（図２参照）。更に詳細には、係合部３２ａの係合面は載置台３１の下方に位置している。
【００３８】
係合部３２ａは、上昇位置から下降を開始した載置台３１に当接して押圧されることによって、載置台３１から離れるように図中矢符Ｂ方向へ回転する。このため、係合部３２ａが載置台３１の下降を阻害することはない。また、係合部３２ａが図中矢符Ｂ方向へ回転することによって、付勢部３２ｂのバネに外力が加えられる。
載置台３１が更に下降して下降位置へ到達すると、付勢部３２ｂの弾性復元力によって、係合部３２ａが図中矢符Ｂ方向の逆方向へ付勢されて回転する。この結果、係合部３２ａの係合面が載置台３１の端部上面に係合し（図３参照）、載置台３１の無用な上昇を防止する（即ち載置台３１を固定する）。
【００３９】
係合部３２ａが載置台３１に係合している状態で、使用者が操作レバー３２ｃを図中矢符Ｂ方向押圧操作すると、係合部３２ａは、載置台３１から離れるように矢符Ｂ方向へ回転する。このため、係合部３２ａと載置台３１との係合が解除されて、載置台３１が上昇を開始する。また、係合部３２ａが矢符Ｂ方向へ回転することによって、付勢部３２ｂのバネに外力が加えられる。
載置台３１が更に上昇して上昇位置へ到達した後で、使用者が操作レバー３２ｃから手を放すと、付勢部３２ｂの弾性復元力によって、係合部３２ａが図中矢符Ｂ方向の逆方向へ付勢されて回転する。この結果、係合部３２ａが載置台３１に係合しない状態に戻る（図２参照）。
【００４０】
次に、弾性部材３３について説明する（図２〜図５参照）。
弾性部材３３はコイルバネを用いてなり、弾性部材３３の中心部を貫通する弾性部材支持棒３３１によって支持されている。
載置台３１が下降した場合、弾性部材３３は載置台３１下面と底面部３４上面との間で圧縮される（図３及び図５参照）。
一方、弾性部材３３は弾性復元力によって、電気機器２が載置されている載置台３１を上昇位置へ上昇させる（図２及び図４参照）。つまり弾性部材３３は、電気機器２の重量のみが載置台３１に加えられている場合にはほとんど圧縮されないため、載置台３１を下降させるために、電気機器２を載置する使用者が電気機器２を介して弾性部材３３の弾性復元力以上の力で載置台３１を押圧する必要がある。
【００４１】
なお、載置台３１が均一に上下移動するように、複数の弾性部材３３，３３，…を適宜に（例えば載置台３１の左右両端部夫々に）配置しておくことが望ましい。
【００４２】
図３〜図５に示すように、電気機器２の底面には、スタンド装置１の弾性部材支持棒３３１が挿抜可能に挿入される挿入穴２２が形成されている。また、電気機器２の天面の左右方向中央部には、スタンド装置１の係合突起４１１が係脱可能に係合する図示しない係合穴が形成されている。
更に、電気機器２の底面の左端部には、機器側コネクタ２１が備えられている。更にまた、電気機器２の底面には、後述する位置合わせピン１４３，１４３が挿抜可能に挿入される位置合わせ穴２３，２３が機器側コネクタ２１の近傍に形成されている。
【００４３】
図４及び図５に示すように、スタンド本体３内部には、装置側コネクタ１１、プリント基板１２及び上下動防止部１３が配されている。
装置側コネクタ１１は、プリント基板１２の上面に実装されており、載置台３１に載置される電気機器２が有する機器側コネクタ２１に接続される。プリント基板１２は、載置台３１に対して基板面方向に移動可能に載置台３１に連結されている。上下動防止部１３は、機器側コネクタ２１と装置側コネクタ１１とが接続される前に載置台３１が上下移動することを防止する。
【００４４】
まず、プリント基板１２について説明する。
プリント基板１２は、装置側コネクタ１１が実装されている上面と載置台３１の上面（即ち電気機器２が載置される載置面）とが同一面上に位置するように基板配置孔３１ｃ内部に配された状態で、基板支持板１４１に支持されている。基板配置孔３１ｃの形状はプリント基板１２の形状に対応するが、基板配置孔３１ｃの寸法はプリント基板１２の寸法よりも適宜に長く形成されている。
【００４５】
基板支持板１４１は１枚の平板を折り曲げたような形状をなしており、プリント基板１２と同寸同形状を有する平板状の中央部１４ａと、中央部１４ａの左右端部から下方へ突出している脚部と、中央部１４ａに平行に、且つ、中央部１４ａに対面しないように、脚部の下端部から左方及び右方へ突出している左側及び右側の吊下げ板部１４ｂ，１４ｂとを有する。
【００４６】
基板支持板１４１の吊下げ板部１４ｂ，１４ｂは、載置台３１の下側に配されている。ここで、載置台３１の貫通孔３１ｂ，３１ｂ，…には、吊下げビス１４２，１４２，…の脚部が遊びを持った状態で貫通しており、各吊下げビス１４２の頭部が載置台３１の上面に係止されている。また、吊下げビス１４２，１４２，…の脚部は、吊下げ板部１４ｂ，１４ｂに形成されているビス孔に螺合固定されている。
基板支持板１４１の吊下げ板部１４ｂ，１４ｂ上面と載置台３１下面との間には、吊下げビス１４２，１４２，…の脚部が遊貫した状態で、合成ゴム製のブッシュ１４４，１４４，…が配されている。
【００４７】
つまり、基板支持板１４１は吊下げビス１４２，１４２，…を介して載置台３１から吊り下げられている。ここで、吊下げビス１４２，１４２，…は、貫通孔３１ｂ，３１ｂ，…内及びブッシュ１４４，１４４，…内で載置台３１の上面方向（例えば前後方向又は左右方向等）に移動可能である。しかも、ブッシュ１４４，１４４，…が弾性を有するため、吊下げビス１４２，１４２，…はブッシュ１４４，１４４，…を伸縮させつつ載置台３１の上面方向に移動可能である。従って、基板支持板１４１に支持されているプリント基板１２は、載置台３１に対して基板面方向に移動可能に載置台３１に連結されている。
機器側コネクタ２１の左側及び右側夫々の近傍には、基板支持板１４１の中央部１４ａ上面からプリント基板１２を貫通して突出している位置合わせピン１４３，１４３が配されている。
【００４８】
底面部３４の上面には、図示しないフィルム上のハーネスによってプリント基板１２に接続されているプリント基板１５が配されており、プリント基板１５と基板支持板１４１との間には、板バネ１６が配されている。
【００４９】
板バネ１６は、載置台３１と共に下降した基板支持板１４１によって圧縮され、固定部３２の係合部が係合解除されることによって復元して、基板支持板１４１を介して載置台３１を上昇させる弾性部材として機能する。また、過剰に下降した基板支持板１４１がプリント基板１５に当接してプリント基板１５の変形、損傷等が生じることを防止している。更に、圧縮された板バネ１６が下側から基板支持板１４１、延いてはプリント基板１２に実装されている装置側コネクタ１１を押し上げるため、装置側コネクタ１１及び機器側コネクタ２１（以下、コネクタ１１，２１という）が更に確実に接続される。ただし、載置台３１と基板支持板１４１との間にブッシュ１４４，１４４，…が介在しているため、装置側コネクタ１１に必要以上の外力が下側から加えられてコネクタ１１，２１及び／又はプリント基板１２等が変形、破損等することが防止されている。
【００５０】
次に、上下動防止部１３について説明する。
上下動防止部１３は、載置台３１に対して係脱可能に設けてあり、載置台３１が上昇した位置で載置台３１に係止して載置台３１を固定し、載置台３１に載置される電気機器２に押圧されることによって係止解除される。このために上下動防止部１３は、係止部１３１とバネ部１３２とを有する。
係止部１３１には、載置台３１の端部が挿抜されることによって載置台３１の端部に対して係脱する係止溝１３ａが形成されている。バネ部１３２はコイルバネを用いてなり、係止部１３１と左側（図４及び図５においては右側）の側壁部３５との間に介在して、係止部１３１を左右方向へ移動可能に支持している。なお、右側の側壁部３５にも同様の構成の上下動防止部１３が備えられていることが望ましい。
【００５１】
載置台３１が上昇位置に配されている場合、係止部１３１は載置台３１に係止している（図４参照）。更に詳細には、係止部１３１の係止溝１３ａに載置台３１の端部が挿入されている。このため、例えば使用者が手で載置台３１を直接的に押圧しても、載置台３１が下降することはない。
係止部１３１は、開口３ａから図４中白抜矢符方向へ挿入された電気機器２の左下角部に当接して押圧されることによって、載置台３１から離れるように左方向（図中右方向）への移動を開始する。このため、係止部１３１が電気機器２の挿入を阻害することはない。
【００５２】
係止部１３１が右方向へ移動することによって、バネ部１３２を圧縮させつつ係止溝１３ａから載置台３１の端部が徐々に抜け出ていく。ただし、スタンド装置１の装置側コネクタ１１は、上下動防止部１３と載置台３１との係止が解除される前に電気機器２の機器側コネクタ２１に接続されるよう配されているため、コネクタ１１，２１が互いに接続されるまでは、係止溝１３ａから載置台３１の端部が完全に抜け出ることはない。このため、載置台３１が下降することはない。
仮に、コネクタ１１，２１が接続される前に載置台３１が下降を開始するとコネクタ１１，２１に接続不良を生じることがある。しかしながら本実施の形態では、前述のように上下動防止部１３が載置台３１の下降を防止することによって、コネクタ１１，２１が確実に接続される。
【００５３】
コネクタ１１，２１が接続されて、電気機器２の底面が載置台３１に載置されると、電気機器２に押圧されて載置台３１が下降位置へ下降する（図５参照）。このとき、係止溝１３ａから載置台３１の端部が完全に抜け出て上下動防止部１３と載置台３１との係止が解除される。上下動防止部１３は電気機器２の左側面と側壁部３５との間に配され、バネ部１３２が係止部１３１と側壁部３５との間で圧縮される。
【００５４】
固定部３２の係合部３２ａと載置台３１との係合が解除されて、載置台３１が上昇位置へ上昇した後で、電気機器２が開口３ａから図４中白抜矢符方向の逆方向へ抜き取られた場合、バネ部１３２の弾性復元力によって係止部１３１が載置台３１へ接近するように右方向（図中左方向）へ付勢される。このとき、載置台３１の端部が係止溝１３ａへ挿入される。即ち、係止部１３１が載置台３１に係止する。この結果、上下動防止部１３は載置台３１の上下動を防止する。
以上のようにして載置台３１は、上下動が必要な場合に上下動し、上下動が不要な場合には上下方向に固定される。
【００５５】
図２及び図３に示すように、接離機構５は、載置台３１の下降に伴って挟持片４１が電気機器２の挟持位置に接近し、載置台３１の上昇に伴って挟持片４１が電気機器２の挟持位置から離隔するよう挟持用部材４を回動させる。このために接離機構５は、背面部３０の左右方向中央部に夫々配されている回動支持部５１、押圧部５２、及び伝達部５３を備える。
回動支持部５１は背面部３０の外面側上部に配されており、挟持用部材４の挟持片支持部４２の下端部を、左右方向に配されている軸部５１１を中心に回動可能に支持する。
【００５６】
更に詳細には、回動支持部５１は軸部５１１を中心に回動する筒部５１２を有し、この筒部５１２の周面に一体的に、挟持用部材４の挟持片支持部４２の下端部が配されている。筒部５１２には、挟持片支持部４２の下端部から所定角度離隔して回動片５１３が突設されている。従って、挟持用部材４及び回動片５１３は、軸部５１１を中心に、図中矢符Ａ１，Ａ２方向に回動する。また、筒部５１２には図示しないぜんまいバネが内蔵されており、挟持片４１が電気機器２の挟持位置へ接近する方向（即ち図３中矢符Ａ２方向）へ回動した場合に、挟持片４１が電気機器２の挟持位置から離隔する方向（即ち図２中矢符Ａ１方向）へ回動させる弾性復元力を生じる。
【００５７】
押圧部５２は背面部３０の外面側中央部に配されており、上下方向に沿って上下移動可能に配されている押圧棒５２１と、押圧棒５２１が上昇した場合に圧縮され、弾性復元力によって押圧棒５２１を下降させるコイルバネ５２２とを備える。押圧棒５２１の上端部は回動支持部５１の回動片５１３に近接配置されており、押圧棒５２１が上昇した場合に押圧棒５２１が回動片５１３を押圧して、回動支持部５１を矢符Ａ２方向へ回動させる。また、筒部５１２の弾性復元力によって回動片５１３が矢符Ａ１方向へ回動した場合に、押圧棒５２１は回動片５１３に押圧されて下降する。
【００５８】
伝達部５３は背面部３０の下部に設けてある図示しない孔を貫通して配されており、左右方向に配された軸部５３１を中心に回動するシーソー状をなしている。シーソー状の伝達部５３の一端部５３２は載置台３１の下面に近接配置されており、他端部５３３は押圧棒５２１の下端部に近接配置されている。このため、伝達部５３は押圧棒５２１又は載置台３１によって下方へ押圧されて図中矢符Ｃ１，Ｃ２方向へ回転し、載置台３１又は押圧棒５２１を上方へ押圧する。
【００５９】
以下に、接離機構５の動作を説明する。
上昇位置から載置台３１が下降する場合、伝達部５３においては、下降した載置台３１によって一端部５３２が下方へ押圧されて図３中矢符Ｃ２方向へ回転し、他端部５３３が押圧棒５２１を上方へ押圧する。押圧部５２においては、他端部５３３によって上方へ押圧された押圧棒５２１が回動片５１３を押圧し、また、コイルバネ５２２が圧縮される。
回動支持部５１においては、押圧棒５２１が回動片５１３を押圧することによって、回動支持部５１が矢符Ａ２方向へ回動して筒部５１２に外力が加えられ、回動支持部５１の回動に伴って、挟持片４１が電気機器２の挟持位置へ接近する。いわば、スタンド本体３に載置された電気機器２を挟持すべく挟持用部材４が閉じる。
【００６０】
一方、下降位置から載置台３１が上昇する場合、伝達部５３においては、載置台３１による一端部５３２の押圧が解除される。この結果、押圧部５２においては、他端部５３３による押圧棒５２１の押圧が解除され、回動支持部５１においては、押圧棒５２１による回動片５１３の押圧が解除される。
このとき、回動支持部５１の筒部５１２の弾性復元力によって、回動支持部５１が図２中矢符Ａ１方向へ回動する。回動支持部５１の回動に伴って、挟持片４１が電気機器２の挟持位置から離隔する。いわば、スタンド本体３に載置された電気機器２の挟持を解除すべく挟持用部材４が開く。
【００６１】
また、回動支持部５１の回動に伴って、回動片５１３が押圧部５２の押圧棒５２１を下方へ押圧する。回動片５１３に押圧され、また、コイルバネ５２２の弾性復元力によって、押圧棒５２１が下降し、伝達部５３の他端部５３３が下方へ押圧されて矢符Ｃ１方向へ回動し、一端部５３２が載置台３１を上方へ押圧する。
以上のように、接離機構５は載置台３１の上下動に伴って挟持片４１を電気機器２の挟持位置に対して接離させる。また、挟持片４１を電気機器２の挟持位置から離隔させる場合は、接離機構５は載置台３１を上昇させる機能も有する。
【００６２】
以上のようなスタンド装置１を用いる場合、使用者は、スタンド本体３の開口３ａを通して、電気機器２をスタンド本体３に載置する。更に詳細には、使用者は、スタンド装置１の位置合わせピン１４３，１４３と弾性部材支持棒３３１とが電気機器２の位置合わせ穴２３，２３と挿入穴２２とに夫々挿入されるようにすることによって、スタンド装置１の装置側コネクタ１１と電気機器２の機器側コネクタ２１との位置合わせを行ない、機器側コネクタ２１が装置側コネクタ１１に接続されるようにして電気機器２を載置台３１に載置する。このとき、使用者は電気機器２を用いて載置台３１を下方へ押圧する。
【００６３】
載置台３１の下側には弾性部材３３が配されているため、載置台３１は底面部３４から離隔した状態にあり、載置される電気機器２によって下方へ押圧された場合に下降する。装置側コネクタ１１はプリント基板１２に実装されており、プリント基板１２は載置台３１に連結されている。このため、載置台３１の下降に伴い、プリント基板１２及び装置側コネクタ１１も下降する。
【００６４】
しかしながら、上下動防止部１３が、コネクタ１１，２１が接続される前に載置台３１が上下移動することを防止するため、コネクタ１１，２１が接続される前に載置台３１が無用に下降してコネクタ１１，２１の接続不良が生じることが防止される。
しかも、基板支持板１４１、吊下げビス１４２，１４２，…、ブッシュ１４４，１４４，…及び貫通孔３１ｂ，３１ｂ，…等によって、プリント基板１２は載置台３１に対して基板面方向に移動可能に支持されているであるため、接続の際にコネクタ１１，２１の位置ズレが生じていても、機器側コネクタ２１に加えられる外力によって、プリント基板１２が移動する。従って、コネクタ１１，２１の位置ズレが自動的に補正される。この結果、装置側コネクタ１１及び／又はプリント基板１２等に無用な外力が加えられることなく、コネクタ１１，２１が確実に接続される。
【００６５】
弾性部材３３は、下降した載置台３１に押圧されることによって収縮し、固定部３２の係合部３２ａは、載置台３１が下降した位置で載置台３１に係合して載置台３１を固定する。接離機構５は、載置台３１の下降に伴って挟持片４１が電気機器２の挟持位置に接近するよう、挟持用部材４を、挟持片支持部４２の端部を中心に回動させる。接離機構５が挟持片４１を電気機器２の挟持位置に接近させることによって、挟持片４１は、スタンド本体３に載置された電気機器２の上側に配され、係合突起４１１が電気機器２天面の係合穴に係合する。
【００６６】
この結果、挟持片４１は、電気機器２をスタンド本体３との間で挟持する。換言すれば、電気機器２は、上側の挟持片４１と下側のスタンド本体３とに挟持された状態で、スタンド装置１に支持される。このため、車両の動揺がスタンド装置１に伝達されても、スタンド装置１から電気機器２が脱落することはない。
また、コネクタ１１，２１の確実な接続によって、スタンド装置１に載置されている電気機器２へ、コネクタ１１，２１を介して確実に給電され、また、電気機器２と車載機器との間で各種信号が確実に送受信される。
【００６７】
この後、電気機器２を取り外す場合に、使用者は、固定部３２の操作レバー３２ｃを押圧操作することによって、手動で固定部３２の係合部３２ａと載置台３１との係合を解除する。
固定部３２と載置台３１との係合が解除されると、弾性部材３３の復元力によって載置台３１が上昇する。載置台３１の上昇に伴い、プリント基板１２及び装置側コネクタ１１も上昇する。接離機構５は、載置台３１の上昇に伴って挟持片４１が電気機器２の挟持位置から離隔するよう、挟持用部材４を、挟持片支持部４２の端部を中心に回動させる。この結果、スタンド本体３に載置された電気機器２の上側から挟持片４１が離隔し、係合突起４１１と電気機器２天面の係合穴との係合が解除されるため、電気機器２の挟持が自動的に解除される。しかも、載置台３１に押し上げられて電気機器２が上昇する。
【００６８】
使用者は、電気機器２の挟持が解除された状態のスタンド装置１から、電気機器２を取り外す。
ところで、上下動防止部１３は、電気機器２が載置されていない場合に、例えば車両の振動がスタンド装置１に伝達されることによる載置台３１の上下振動（ガタつき）を防止する。この結果、載置台３１のガタつきに起因する騒音が抑制される。
【００６９】
実施の形態  ２．
図６は、本発明の実施の形態２に係るスタンド装置に電気機器が載置されていない状態を説明する側面図である。また、図７は、本発明の実施の形態２に係るスタンド装置に電気機器が載置されつつある状態を説明する側面図であり、図８は、本発明の実施の形態２に係るスタンド装置に電気機器が載置された状態を説明する側面図である。図６〜図８中３８は、スタンド本体３の正面部である。
図９は、本発明の実施の形態２に係るスタンド装置が備える載置台と接離機構の一部との外観を示す斜視図である。
【００７０】
本実施の形態のスタンド装置１の接離機構５は、実施の形態１のスタンド装置１の接離機構５とは構成が異なる。また、本実施の形態のスタンド本体３は、実施の形態１の載置台３１の代わりに載置台３６を有し、載置台３１を固定する固定部３２の代わりに、固定部３２と同様の構成で、後述する揺動台５６の底板部５６１に対して直接的に係脱可能に設けてあり、底板部５６１を介して載置台３６を間接的に固定する図示しない固定部を有し、載置台３１の下側に配されている弾性部材３３の代わりに、弾性部材３３と同様の構成で底板部５６１の下側に配されている弾性部材５７を有する。弾性部材５７の弾性部材支持棒５７１は、底板部５６１に形成されている挿通孔５６ｂに挿通されている。更に、スタンド本体３には図示しない装置側コネクタが配されており、スタンド本体３に載置された電気機器２の図示しない機器側コネクタに接続される。
【００７１】
その他、実施の形態１に対応する部分には同一符号を付してそれらの説明を省略する。
【００７２】
接離機構５はスタンド本体３に収容されており、挟持片４１を電気機器２の挟持位置に対して接離させるべく構成されている。更に詳細には、接離機構５は、載置台３６の下降に伴って挟持片４１が電気機器２の挟持位置に接近し、載置台３６の上昇に伴って挟持片４１が電気機器２の挟持位置から離隔するよう挟持用部材４を回動させる。このために接離機構５は、背面部３０の左右方向中央部に夫々配されている摺動部５４、回動結合部５５、揺動台５６及び弾性部材５７を備える。
【００７３】
揺動台５６は、底板部５６１と、底板部５６１に直交配置されている背板部５６２とが一体に形成されている側面視Ｌ字状の板状部材であり、左右方向中央部に、屈曲部から底板部５６１の前後方向中央部に亘って、後述する載置台支持板３６１が挿通される挿通孔５６ａが形成されている。このような揺動台５６は、後述するように、載置台３６の上下動に伴って上下に揺動する。
弾性部材５７は、揺動台５６の底板部５６１の下側に配されており、下降した底板部５６１によって圧縮され、前記図示しない固定部が係合解除されることによって復元して底板部５６１を上昇させる。
【００７４】
回動結合部５５は、揺動台５６の背板部５６２の上端部に配されており、挟持用部材４の挟持片支持部４２の下端部を、左右方向に配されている軸部５５１を中心に回動可能に支持する。
更に詳細には、回動結合部５５は挟持用部材４の挟持片支持部４２と揺動台５６の背板部５６２とをヒンジ状に結合するものであり、軸部５５１を中心に回動する筒部５５２を有する。また、筒部５５２には図示しないぜんまいバネが内蔵されており、挟持片４１が電気機器２の挟持位置へ接近する方向（即ち図７に示す矢符Ａ２方向）へ回動した場合に、挟持片４１が電気機器２の挟持位置から離隔する方向（即ち図６に示す矢符Ａ１方向）へ回動させる弾性復元力が生じる。
【００７５】
摺動部５４は、挟持用部材４の挟持片支持部４２の背面に突設されている凸状をなしており、背面部３０の上端部及び内面に摺動することによって、図６に示すように挟持片支持部４２が後方へ倒れた位置と図７及び図８夫々に示すように挟持片支持部４２が直立している位置との間の挟持用部材４の回動を案内する。
【００７６】
載置台支持板３６１は、平面視がＴ字状をなし、側面視が浅い倒立Ｖ字状をなしている。載置台３６は、載置台支持板３６１の基端部近傍の上面に一体的に突設されている台形状をなしており、載置台３６に載置される電気機器２によって下方へ押圧された場合に下降する。このために載置台支持板３６１の基端部には、左右方向に配されている回動軸部３６２が一体的に設けられており、載置台支持板３６１が回動軸部３６２を中心に回動することによって載置台３６が上下移動可能に構成されている。また、載置台支持板３６１は揺動台５６の挿通孔５６ａに挿通されており、先端部が揺動台５６の底板部５６１の上面に近接配置されており、回動軸部３６２が背面部３０に支持されている。
【００７７】
従って、載置台支持板３６１と揺動台５６とは連動して上昇又は下降し、揺動台５６が上昇した位置に配されている場合は（図６参照）、載置台支持板３６１に設けられている載置台３６は上昇位置に配され、揺動台５６が下降するにつれて（図７参照）、載置台３６も下降し、揺動台５６が下降した位置に配されて、前記図示しない固定部によって係合されている場合は（図８参照）、載置台３６は下降位置に配されて固定される。つまり前記図示しない固定部は、下降位置で載置台３６に対して揺動台５６を介して間接的に係合して載置台３６を固定する。ただし、載置台支持板３６１は、挿通孔５６ａの開口範囲内で、揺動台５６に対して微小な相対的上下動が可能であるため、前記図示しない固定部に間接的に係合固定されている載置台３６は、揺動台５６に対して微小な相対的上下動が可能である。
【００７８】
また、載置台支持板３６１の回動軸部３６２には図示しないつるまきバネが備えられており、載置台３６が下降する方向（図７中矢符Ｄ方向）へ載置台支持板３６１が回動した場合に、載置台３６が上昇する方向（図７中矢符Ｄ方向の逆方向）へ載置台支持板３６１を回動させる弾性復元力が生じる。つまり、載置台支持板３６１及び回動軸部３６２は、載置台３６の下側に配されており、下降した載置台３６によって圧縮され、前記図示しない固定部が係合解除されることによって復元して載置台３６が上昇した位置へ載置台３６を上昇させる弾性部材としても機能する。
【００７９】
以上のようなスタンド装置１を用いる場合、電気機器２をスタンド本体３に載置する。更に詳細には、使用者は、スタンド装置１の弾性部材支持棒５７１が電気機器２の挿入穴２２に挿入されるようにしながら、電気機器２を載置台３６に載置する。このとき、使用者は電気機器２を用いて載置台３６を下方へ押圧する。
載置台３６が下方へ押圧されることによって、載置台支持板３６１が図７中矢符Ｄ方向へ回動し、揺動台５６を下降させる。
【００８０】
揺動台５６が下降することによって、底板部５６１と底面部３４との間で弾性部材５７が圧縮され、また、背板部５６２の上端部に配されている挟持片支持部４２の背面に突設されている摺動部５４が背面部３０の上端部から内面へ摺動することによって、挟持用部材４が下降しつつ矢符Ａ２方向へ回動し、この結果、挟持片支持部４２が直立して、挟持片４１が電気機器２の挟持位置へ接近する。ただし、使用者が電気機器２を押し込んでいる間は、挟持片４１の係合突起４１１は電気機器２に係合しない。
【００８１】
載置台３６が下降位置へ下降した場合（図８）、前記図示しない固定部の係合によって、揺動台５６、延いては載置台３６が固定される。このとき、使用者が電気機器２から手を放すと、回動軸部３６２の弾性復元力によって載置台支持板３６１が矢符Ｄ方向の逆方向に微小回動するため、載置台３６が電気機器２を僅かに押し上げ、係合突起４１１が電気機器２に係合する。
以上のように、係合突起４１１の電気機器２に対する係合と、載置台３６による電気機器２の押し上げとによって、電気機器２は、挟持片４１と載置台３６との間で強固に挟持される。このため、車両の動揺がスタンド装置１に伝達されても、スタンド装置１から電気機器２が脱落することはない。
【００８２】
この後、電気機器２を取り外す場合に、使用者は前記図示しない固定部を操作して、固定部の係合を解除する。
このとき、弾性部材５７の弾性復元力によって揺動台５６が上昇する。また、回動軸部３６２の弾性復元力によって、及び上昇する揺動台５６に押し上げられて、載置台支持板３６１が矢符Ｄ方向の逆方向に回動する。このため、載置台３６が上昇して、載置台３６に載置されている電気機器２が上昇する。
【００８３】
更に、揺動台５６の上昇に伴い、背板部５６２の上端部に配されている挟持片支持部４２の背面に突設されている摺動部５４が背面部３０の内面から上端部へ摺動することによって、挟持用部材４が上昇しつつ図６に示す矢符Ａ１方向へ回動し、この結果、挟持片支持部４２が後方へ倒れて、係合突起４１１の係合が解除され、挟持片４１が電気機器２の挟持位置から離隔する。
使用者は、電気機器２の挟持が解除された状態のスタンド装置１から、電気機器２を取り外す。
【００８４】
以上のようなスタンド装置１は、実施の形態１のスタンド装置１よりも接離機構５の部品が少なく、構成が簡易であるため、安価に製造することができ、しかも接離機構５の故障が生じ難いため信頼性が高い。
【００８５】
実施の形態  ３．
図１０は、実施の形態３に係るスタンド装置に電気機器が載置されつつある状態を説明する装置側コネクタ近傍の正面図である。
また、図１１及び図１２は、実施の形態３に係るスタンド装置が備える装置側コネクタ近傍の平面図及び側面図である。
本実施の形態においては、実施の形態１とは異なり、装置側コネクタ１１が実装されているプリント基板１２を底面部３４に対して基板面方向に移動可能に底面部３４に連結する構成を例示する。
図１０〜図１２に示すｘ軸方向、ｙ軸方向、及びｚ軸方向は、本実施の形態のスタンド装置の左右方向、前後方向、及び上下方向夫々に沿う方向である。
【００８６】
また、図１０に示すように、位置合わせピン１４３，１４３はプリント基板１２上面から突出しているが、プリント基板１２の下側に基板支持用の平板を配設して、この平板の上面からプリント基板１２を貫通して突出する構成であってもよい。
更に、図１０〜図１２に示すように、板バネ１６は、後述する矩形穴３４ａの開口周縁前部及び開口周縁後部に亘ってｘ軸方向及びｙ軸方向夫々に対称な橋梁状に配されている。
【００８７】
底面部３４には矩形穴３４ａが形成されている。矩形穴３４ａの開口の左右方向及び前後方向夫々の寸法は、プリント基板１２の対応する寸法よりも長い。プリント基板１２は、矩形穴３４ａの開口の上側で左右方向、前後方向、及び上下方向夫々に移動可能に配されている。
このためにプリント基板１２は、図１０及び図１１中の左端部が、矩形穴３４ａの開口周縁左部に３枚の板バネ１７１，１７３，１７５によって連結されており、右端部が、矩形穴３４ａの開口周縁右部に３枚の板バネ１７２，１７４，１７６によって連結されており、更に、下面が板バネ１６の中央部上面に対面して近接配置されている。ここで、板バネ１７１〜１７６の弾性係数は、板バネ１６の弾性係数よりも小さい（即ちバネ力が軽い）。
【００８８】
板バネ１７１〜１７６は夫々変形Ｚ字状をなしており、屈曲部分がヒンジのように機能する。このため、板バネ１７１〜１７６夫々は屈曲部分が更に屈曲することによって圧縮され、また、屈曲部分が平板状に伸びることによって伸張する。
板バネ１７１〜１７６及びプリント基板１２は、矩形穴３４ａの開口周縁左部及び開口周縁右部に亘ってｘ軸方向及びｙ軸方向夫々に対称な橋梁状に配されている。
【００８９】
更に詳細には、板バネ１７１，１７２は、底面部３４に対面する方向に配されており、板バネ１７３〜１７６は、底面部３４に直交する方向に配されている。更に詳細には、板バネ１７１（又は板バネ１７２）は、一端部が、矩形穴３４ａの開口周縁左部（又は開口周縁右部）に例えばビス止めで固定されており、他端部に、板バネ１７３，１７５（又は板バネ１７４，１７６）夫々の一端部が固定されている。板バネ１７３，１７５（又は板バネ１７４，１７６）夫々の他端部は、プリント基板１２の左端部（又は右端部）に固定されている。
装置側コネクタ１１及びプリント基板１２は、左右の板バネ１７１，１７２の伸縮によって、ｚ軸方向に移動する。
【００９０】
このようなスタンド装置を使用する場合、使用者は、スタンド装置の位置合わせピン１４３，１４３が電気機器２の位置合わせ穴２３，２３に夫々挿入されるようにすることによって、スタンド装置１の装置側コネクタ１１と電気機器２の機器側コネクタ２１との位置合わせを行ない、機器側コネクタ２１が装置側コネクタ１１に接続されるようにしてスタンド装置に載置する。このとき、電気機器２は装置側コネクタ１１及びプリント基板１２を下方向へ押圧する。
【００９１】
電気機器２によって下方へ押圧されたプリント基板１２は、下降して板バネ１６を下方へ押圧する。このとき、板バネ１６の弾性復元力がプリント基板１２を上方向へ押圧するため、プリント基板１２、延いては装置側コネクタ１１が無用に下降して、コネクタ１１，２１に接続不良が生じることを防止する。また、装置側コネクタ１１及びプリント基板１２に、下方向の無用に大きな外力が加えられたとしても、この外力を板バネ１６が吸収するため、装置側コネクタ１１及びプリント基板１２等の変形、破損等が防止される。
【００９２】
ところで、接続されるコネクタ１１，２１間にｘ軸方向の位置ズレが生じていると、左側の板バネ１７３，１７５がｘ軸方向に伸張し（又は圧縮され）、右側の板バネ１７４，１７６がｘ軸方向に圧縮される（又は伸張する）ことによって装置側コネクタ１１及びプリント基板１２がｘ軸方向に移動するため、ｘ軸方向の位置ズレが補正される。
また、接続されるコネクタ１１，２１間にｙ軸方向の位置ズレが生じていると、前側の板バネ１７３，１７４がｙ軸方向に伸張し（又は圧縮され）、後側の板バネ１７５，１７６がｘ軸方向に圧縮される（又は伸張する）ことによって装置側コネクタ１１及びプリント基板１２がｙ軸方向に移動するため、ｙ軸方向の位置ズレが補正される。
【００９３】
その他、実施の形態１，２に対応する部分には同一符号を付してそれらの説明を省略する。
【００９４】
以上のような構成でも、装置側コネクタ１１に加えられる外力によって、装置側コネクタ１１が実装されているプリント基板１２が移動するため、接続の際のコネクタ１１，２１の位置ズレが自動的に補正される。この結果、装置側コネクタ１１及びプリント基板１２等の変形、破損等が防止される。
【図面の簡単な説明】
【００９５】
【図１】本発明の実施の形態１に係るスタンド装置の外観を略示する斜視図である。
【図２】本発明の実施の形態１に係るスタンド装置に電気機器が載置されていない状態を説明する側面図である。
【図３】本発明の実施の形態１に係るスタンド装置に電気機器が載置された状態を説明する側面図である。
【図４】本発明の実施の形態１に係るスタンド装置に電気機器が載置されつつある状態を説明する装置側コネクタ近傍の正面図である。
【図５】本発明の実施の形態１に係るスタンド装置に電気機器が載置された状態を説明する装置側コネクタ近傍の正面図である。
【図６】本発明の実施の形態２に係るスタンド装置に電気機器が載置されていない状態を説明する側面図である。
【図７】本発明の実施の形態２に係るスタンド装置に電気機器が載置されつつある状態を説明する側面図である。
【図８】本発明の実施の形態２に係るスタンド装置に電気機器が載置された状態を説明する側面図である。
【図９】本発明の実施の形態２に係るスタンド装置が備える載置台と接離機構の一部との外観を示す斜視図である。
【図１０】実施の形態３に係るスタンド装置に電気機器が載置されつつある状態を説明する装置側コネクタ近傍の正面図である。
【図１１】実施の形態３に係るスタンド装置が備える装置側コネクタ近傍の平面図である。
【図１２】実施の形態３に係るスタンド装置が備える装置側コネクタ近傍の側面図である。
【符号の説明】
【００９６】
１    スタンド装置
１１  装置側コネクタ
１２  プリント基板
１３  上下動防止部
２    電気機器
２１  機器側コネクタ
３    スタンド本体
３１，３６  載置台
３２  固定部
３３  弾性部材
４    挟持用部材
４１  挟持片
５    接離機構
【図１】
2009161008.tif 000003
【図２】
2009161008.tif 000004
【図３】
2009161008.tif 000005
【図４】
2009161008.tif 000006
【図５】
2009161008.tif 000007
【図６】
2009161008.tif 000008
【図７】
2009161008.tif 000009
【図８】
2009161008.tif 000010
【図９】
2009161008.tif 000011
【図１０】
2009161008.tif 000012
【図１１】
2009161008.tif 000013
【図１２】
2009161008.tif 000014